(57)【要約】【課題】複数のＣＰＵを備えて電池を電源として動作する携帯端末の消費電力を低減する。【解決手段】メインＣＰＵ（中央処理装置）２１のＥＩＦタスク２ａからＤＰＲＡＭハンドラ２ｅにヘルシーチェック要求プリミティブが５回送出されても成功せず、所要時間がタイムアウト間隔を超えた場合、同ＥＩＦタスク２ａから伝送管理タスク２ｄへサブＣＰＵ２２をリセットする旨が通知される。このとき、リセットする理由がＥＩＦタスク２ａからＤＰＲＡＭ２３にセットされ、サブＣＰＵ２２の電源がオフ状態とされ、ＤＰＲＡＭ（Ｄｕａｌ　Ｐｏｒｔ　ＲＡＭ）　２３が初期化される。【選択図】　　　　図２
2004072352.tif 000002
【特許請求の範囲】
【請求項１】
複数の携帯端末と、
受け持ちゾーン内で前記各携帯端末と通信を行う複数の無線基地局と、
受け持ちエリア内で前記各無線基地局の受け持ちゾーンに在圏する前記各携帯端末の位置情報を把握して登録すると共に、前記各無線基地局を介して任意の前記携帯端末と通信を行う複数の第１の交換局と、
管轄の前記各第１の交換局を一般電話回線網に接続する第２の交換局とを備え、　前記各携帯端末が、自端末全体を制御する主制御部と、前記無線基地局を介して前記各第１の交換局に対して制御信号の送受信を行って当該の第１の交換局に自端末の前記位置情報を登録する副制御部とを備えてなる携帯端末システムであって、
前記各第１の交換局と前記副制御部との間における前記制御信号の送受信が基準時間を超えて停止状態にあるとき、前記主制御部が前記副制御部の電源をオフ状態とする構成とされていることを特徴とする携帯端末システム。
【請求項２】
携帯端末と、
前記携帯端末と各種データの授受を行う外部端末とを備え、
前記携帯端末が、自端末全体を制御する主制御部と、前記外部端末と前記各種データの授受を行う副制御部とを備えてなる携帯端末システムであって、
前記外部端末と前記副制御部との間における前記各種データの授受が基準時間を超えて停止状態にあるとき、前記主制御部が前記副制御部の電源をオフ状態とする構成とされていることを特徴とする携帯端末システム。
【請求項３】
前記主制御部は、前記副制御部の動作を監視制御するための
監視要求メッセージを送出する構成とされ、かつ、
前記副制御部は、前記監視要求メッセージに対して応答するための応答メッセージを送出する構成とされていることを特徴とする請求項１又は２記載の携帯端末システム。
【請求項４】
複数の携帯端末と、
受け持ちゾーン内で前記各携帯端末と通信を行う複数の無線基地局と、
受け持ちエリア内で前記各無線基地局の受け持ちゾーンに在圏する前記各携帯端末の位置情報を把握して登録すると共に、前記各無線基地局を介して任意の前記携帯端末と通信を行う複数の第１の交換局と、
受け持ちの前記各第１の交換局を一般電話回線網に接続する第２の交換局とを備え、
前記各携帯端末が、自端末全体を制御する主制御部と、前記無線基地局を介して前記各第１の交換局に対して制御信号の送受信を行って当該の第１の交換局に自端末の前記位置情報を登録する副制御部とを備えてなる携帯端末システムに用いられ、前記各携帯端末の前記主制御部から前記副制御部の動作を監視制御する監視制御方法であって、
前記各第１の交換局と前記副制御部との間における前記制御信号の送受信が基準時間を超えて停止状態にあるとき、前記主制御部が前記副制御部の電源をオフ状態とすることを特徴とする携帯端末システムに用いられる監視制御方法。
【請求項５】
携帯端末と、
前記携帯端末と各種データの授受を行う外部端末とを備え、
前記携帯端末が、自端末全体を制御する主制御部と、前記外部端末と前記各種データの授受を行う副制御部とを備えてなる携帯端末システムに用いられ、前記各携帯端末の前記主制御部から前記副制御部の動作を監視制御する監視制御方法であって、
前記外部端末と前記副制御部との間における前記各種データの授受が基準時間を超えて停止状態にあるとき、前記主制御部が前記副制御部の電源をオフ状態とすることを特徴とする携帯端末システムに用いられる監視制御方法。
【請求項６】
前記主制御部は、前記副制御部の動作を監視制御するための監視要求メッセージを送出し、かつ、
前記副制御部は、前記監視要求メッセージに対して応答するための応答メッセージを送出することを特徴とする請求項４又は５記載の携帯端末システムに用いられる監視制御方法。
【請求項７】
コンピュータに請求項４、５又は６記載の携帯端末システムに用いられる監視制御方法を実施させるための監視制御プログラム。
【請求項８】
自端末全体を制御する主制御部と、無線基地局を介して在圏移動通信交換局に対して制御信号の送受信を行って該在圏移動通信交換局に自端末の位置情報を登録する副制御部とを備えてなる携帯端末であって、
前記在圏移動通信交換局と前記副制御部との間における前記制御信号の送受信が基準時間を超えて停止状態にあるとき、前記主制御部が前記副制御部の電源をオフ状態とする構成とされていることを特徴とする携帯端末。
【請求項９】
自端末全体を制御する主制御部と、外部端末と各種データの授受を行う副制御部とを備えてなる携帯端末であって、
前記外部端末と前記副制御部との間における前記各種データの授受が基準時間を超えて停止状態にあるとき、前記主制御部が前記副制御部の電源をオフ状態とする構成とされていることを特徴とする携帯端末。
【発明の詳細な説明】
【０００１】
【発明の属する技術分野】
この発明は、携帯端末システム、携帯端末システムに用いられる監視制御方法及び該方法に用いられる監視制御プログラム、並びに携帯端末に係り、特に、携帯端末が主制御部及び副制御部などの複数の制御部を備え、消費電力を低減する必要がある場合に好適な携帯端末システム、携帯端末システムに用いられる監視制御方法及び該方法に用いられる監視制御プログラム、並びに携帯端末に関する。
【０００２】
【従来の技術】
携帯端末システムでは、携帯電話機などの携帯端末が、無線基地局、在圏移動通信交換局、及び関門移動通信交換局を介して通常の電話回線に接続される。携帯端末が使用する電波の周波数チャネルには限りがあるため、混信を起こさないようにする必要がある。そのため、１つの無線基地局の出力を小さくして受け持つ範囲（ゾーン）を小さくし、離れたゾーン同士で同一の周波数チャネルを用い、同じ周波数チャネルを繰り返し使用する多数の小ゾーンが構成されている。また、携帯端末は、いろいろな場所へ移動するため、在圏移動通信交換局などで現在の位置のゾーンや電波の受信状態を常に把握している。このため、携帯端末の呼出しの際には、最も良い状態で受信できる無線基地局から呼び出される。また、携帯端末が通話中に隣のゾーンに移動しても、新しいゾーンで使用可能なチャネルに自動的に切り換えられため、通話がとぎれない。
【０００３】
この種の携帯端末システムは、従来では例えば図１１に示すように、携帯電話機（Ｍｏｂｉｌｅ　Ｓｔａｔｉｏｎ、ＭＳ）１１と、無線基地局（Ｂａｓｅ　Ｓｔａｔｉｏｎ、ＢＳ）１２，１３と、在圏移動通信交換局（Ｖｉｓｉｔ　Ｍｏｂｉｌｅ　Ｃｏｎｔｒｏｌ　Ｃｅｎｔｅｒ　、以下、「ＶＭＣＣ」という）１４，１５と、関門移動通信交換局（Ｇａｔｅｗａｙ　Ｍｏｂｉｌｅ　Ｃｏｎｔｒｏｌ　Ｃｅｎｔｅｒ　、以下、「ＧＭＣＣ」という）１６とから構成されている。携帯電話機１１は、無線基地局１２に無線接続する。無線基地局１２は、受け持ちの小ゾーンＺ１内で所定の周波数の電波を用いて携帯電話機１１と通信を行う。小ゾーンＺ１は、無線基地局１２から放射される電波が届く領域である。同様に、無線基地局１３も、受け持ちの小ゾーンＺ２内で所定の周波数の電波を用いて図示しない携帯電話機と通信を行う。小ゾーンＺ２は、無線基地局１３から放射される電波が届く領域である。
【０００４】
ＶＭＣＣ１４は、受け持ちの位置登録エリアＳＡ内で無線基地局１２，１３の受け持ちの小ゾーンＺ１，Ｚ２に在圏する携帯電話機の位置を常時把握して登録すると共に、例えば無線基地局１２を介して携帯電話機１１と通信を行う。位置登録エリアＳＡは、ＶＭＣＣ１４によってコントロールされる領域である。同様に、ＶＭＣＣ１５も、受け持ちの位置登録エリアＳＢ内で無線基地局の受け持ちの小ゾーンに在圏する携帯電話機の位置を常時把握して登録すると共に、同無線基地局を介して携帯電話機と通信を行う。位置登録エリアＳＢは、ＶＭＣＣ１５によってコントロールされる領域である。携帯電話機１１の位置が位置登録エリアＳＡから外れて位置登録エリアＳＢに移動した場合、同携帯電話機１１は同位置登録エリアＳＢで位置登録される。ＧＭＣＣ１６は、管轄のＶＭＣＣ１４，１５を一般電話回線網ＮＷに接続する。
【０００５】
携帯電話機１１は、図１２に示すように、メインＣＰＵ１１ａ及びサブＣＰＵ１１ｂなどの複数のＣＰＵを備えている。メインＣＰＵは１１ａ、携帯電話機１１全体を制御する機機能を有している。また、サブＣＰＵ１１ｂは、無線基地局１２を介してＶＭＣＣ１４に対して制御信号の送受信を行って同ＶＭＣＣ１４に携帯電話機１１の位置情報を登録する。
【０００６】
この携帯端末システムでは、携帯電話機１１で周辺チャネル無線基地局１２，１３の電波強度が測定される。電波強度は無線基地局１２からの距離に反比例するため、基本的には、近い距離にあって電波強度の高い（すなわち、電波状態が良い）無線基地局１２のチャネルへ切り替わる。
【０００７】
【発明が解決しようとする課題】
しかしながら、上記従来の携帯端末システムでは、次のような問題点がある。すなわち、図１１の携帯端末システムでは、携帯電話機１１において、サブＣＰＵ１１ｂが無線基地局１２を介してＶＭＣＣ１４に対して制御信号の送受信を常時行い、同ＶＭＣＣ１４に自電話機１１の位置情報を登録している。このため、消費電力が大きく、携帯電話機１１の電源である電池の寿命が短いという問題点がある。また、携帯電話機１１の多機能コネクタに、たとえばパーソナルコンピュータなどの外部端末が接続されている場合、同外部端末とサブＣＰＵ１１ｂとの間における各種データの授受が常時行われる。この場合も、上記と同様に、消費電力が大きく、電池の寿命が短いという問題点がある。このため、消費電力を低減して電池の寿命を延ばす必要があるという課題がある。
【０００８】
この発明は、上述の事情に鑑みてなされたもので、携帯端末の消費電力を低減した携帯端末システム、携帯端末システムに用いられる監視制御方法及び該方法に用いられる監視制御プログラム、並びに携帯端末を提供することを目的としている。
【０００９】
【課題を解決するための手段】
上記課題を解決するために、請求項１記載の発明は、複数の携帯端末と、受け持ちゾーン内で前記各携帯端末と通信を行う複数の無線基地局と、受け持ちエリア内で前記各無線基地局の受け持ちゾーンに在圏する前記各携帯端末の位置情報を把握して登録すると共に、前記各無線基地局を介して任意の前記携帯端末と通信を行う複数の第１の交換局と、管轄の前記各第１の交換局を一般電話回線網に接続する第２の交換局とを備え、前記各携帯端末が、自端末全体を制御する主制御部と、前記無線基地局を介して前記各第１の交換局に対して制御信号の送受信を行って当該の第１の交換局に自端末の前記位置情報を登録する副制御部とを備えてなる携帯端末システムに係り、前記各第１の交換局と前記副制御部との間における前記制御信号の送受信が基準時間を超えて停止状態にあるとき、前記主制御部が前記副制御部の電源をオフ状態とする構成とされていることを特徴としている。
【００１０】
請求項２記載の発明は、携帯端末と、前記携帯端末と各種データの授受を行う外部端末とを備え、前記携帯端末が、自端末全体を制御する主制御部と、前記外部端末と前記各種データの授受を行う副制御部とを備えてなる携帯端末システムに係り、前記外部端末と前記副制御部との間における前記各種データの授受が基準時間を超えて停止状態にあるとき、前記主制御部が前記副制御部の電源をオフ状態とする構成とされていることを特徴としている。
【００１１】
請求項３記載の発明は、請求項１又は２記載の携帯端末システムに係り、前記主制御部は、前記副制御部の動作を監視制御するための監視要求メッセージを送出する構成とされ、かつ、前記副制御部は、前記監視要求メッセージに対して応答するための応答メッセージを送出する構成とされていることを特徴としている。
【００１２】
請求項４記載の発明は、複数の携帯端末と、受け持ちゾーン内で前記各携帯端末と通信を行う複数の無線基地局と、受け持ちエリア内で前記各無線基地局の受け持ちゾーンに在圏する前記各携帯端末の位置情報を把握して登録すると共に、前記各無線基地局を介して任意の前記携帯端末と通信を行う複数の第１の交換局と、受け持ちの前記各第１の交換局を一般電話回線網に接続する第２の交換局とを備え、前記各携帯端末が、自端末全体を制御する主制御部と、前記無線基地局を介して前記各第１の交換局に対して制御信号の送受信を行って当該の第１の交換局に自端末の前記位置情報を登録する副制御部とを備えてなる携帯端末システムに用いられ、前記各携帯端末の前記主制御部から前記副制御部の動作を監視制御する監視制御方法に係り、前記各第１の交換局と前記副制御部との間における前記制御信号の送受信が基準時間を超えて停止状態にあるとき、前記主制御部が前記副制御部の電源をオフ状態とすることを特徴としている。
【００１３】
請求項５記載の発明は、携帯端末と、前記携帯端末と各種データの授受を行う外部端末とを備え、前記携帯端末が、自端末全体を制御する主制御部と、前記外部端末と前記各種データの授受を行う副制御部とを備えてなる携帯端末システムに用いられ、前記各携帯端末の前記主制御部から前記副制御部の動作を監視制御する監視制御方法に係り、前記外部端末と前記副制御部との間における前記各種データの授受が基準時間を超えて停止状態にあるとき、前記主制御部が前記副制御部の電源をオフ状態とすることを特徴としている。
【００１４】
請求項６記載の発明は、請求項４又は５記載の携帯端末システムに用いられる監視制御方法に係り、前記主制御部は、前記副制御部の動作を監視制御するための監視要求メッセージを送出し、かつ、前記副制御部は、前記監視要求メッセージに対して応答するための応答メッセージを送出することを特徴としている。
【００１５】
請求項７記載の発明は、監視制御プログラムに係り、コンピュータに請求項４、５又は６記載の携帯端末システムに用いられる監視制御方法を実施させることを特徴としている。
【００１６】
請求項８記載の発明は、自端末全体を制御する主制御部と、無線基地局を介して在圏移動通信交換局に対して制御信号の送受信を行って該在圏移動通信交換局に自端末の位置情報を登録する副制御部とを備えてなる携帯端末に係り、前記在圏移動通信交換局と前記副制御部との間における前記制御信号の送受信が基準時間を超えて停止状態にあるとき、前記主制御部が前記副制御部の電源をオフ状態とする構成とされていることを特徴としている。
【００１７】
請求項９記載の発明は、自端末全体を制御する主制御部と、外部端末と各種データの授受を行う副制御部とを備えてなる携帯端末に係り、前記外部端末と前記副制御部との間における前記各種データの授受が基準時間を超えて停止状態にあるとき、前記主制御部が前記副制御部の電源をオフ状態とする構成とされていることを特徴としている。
【００１８】
【発明の実施の形態】
以下、図面を参照して、この発明の実施の形態について説明する。
図１は、この発明の実施形態である携帯端末システムの概略の構成図である。
この形態の移動電話システムは、同図に示すように、携帯電話機（Ｍｏｂｉｌｅ　Ｓｔａｔｉｏｎ、ＭＳ）２０と、無線基地局（Ｂａｓｅ　Ｓｔａｔｉｏｎ、ＢＳ）３０，４０と、ＶＭＣＣ５０，６０と、ＧＭＣＣ７０とから構成されている。
【００１９】
携帯電話機２０は、無線基地局３０に無線接続する。無線基地局３０は、受け持ちの小ゾーンＺ１内で所定の周波数の電波を用いて携帯電話機２０と通信を行う。小ゾーンＺ１は、無線基地局３０から放射される電波が届く領域である。同様に、無線基地局４０も、受け持ちの小ゾーンＺ２内で所定の周波数の電波を用いて図示しない携帯電話機と通信を行う。小ゾーンＺ２は、無線基地局４０から放射される電波が届く領域である。
【００２０】
ＶＭＣＣ５０は、受け持ちの位置登録エリアＳＡ内で無線基地局３０，４０の受け持ちの小ゾーンＺ１，Ｚ２に在圏する携帯電話機の位置を把握して登録すると共に、例えば無線基地局３０を介して携帯電話機２０と通信を行う。位置登録エリアＳＡは、ＶＭＣＣ５０によってコントロールされる領域である。同様に、ＶＭＣＣ６０も、受け持ちの位置登録エリアＳＢ内で無線基地局の受け持ちの小ゾーンに在圏する携帯電話機の位置を把握して登録すると共に、同無線基地局を介して携帯電話機と通信を行う。位置登録エリアＳＢは、ＶＭＣＣ６０によってコントロールされる領域である。携帯電話機２０の位置が位置登録エリアＳＡから外れて位置登録エリアＳＢに移動した場合、同携帯電話機２０は同位置登録エリアＳＢで位置登録される。ＧＭＣＣ７０は、管轄のＶＭＣＣ５０，６０を一般電話回線網ＮＷに接続する。
【００２１】
図２は、図１中の携帯電話機２０の要部の構成図である。
この携帯電話機２０は、図２に示すように、メインＣＰＵ２１と、サブＣＰＵ２２と、ＤＰＲＡＭ（Ｄｕａｌ　Ｐｏｒｔ　ＲＡＭ　）２３と、ＲＯＭ（リードオンリメモリ）２４から構成されている。メインＣＰＵ２１は、携帯電話機２０全体を制御すると共に、サブＣＰＵ２２に対してヘルシーチェック（監視制御）を行い、ＶＭＣＣ５０とサブＣＰＵ２２との間における制御信号の送受信が基準時間を超えて停止状態にあるとき、同サブＣＰＵ２２の電源をオフ状態とする。サブＣＰＵ２２は、無線基地局３０，４０を介してＶＭＣＣ５０に対して制御信号の送受信を行って同ＶＭＣＣ５０に自電話機２０の位置情報を登録する。ＤＰＲＡＭ２３は、メインＣＰＵ２１及びサブＣＰＵ２２から同時にアクセスでき、１つのポートからデータが読み込まれているときに他のポートからデータを書き替えることができ、高速なデータ処理を行う。ＲＯＭ２４は、メインＣＰＵ２１を動作させるための監視制御プログラムが記録されている。
【００２２】
メインＣＰＵ２１は、ＥＩＦタスク２ａと、サブＣＰＵ制御部２ｂと、タイマハンドラ２ｃと、伝送管理タスク２ｄと、ＤＰＲＡＭハンドラ２ｅとから構成されている。ＥＩＦタスク２ａは、サブＣＰＵ２２に対してヘルシーチェックを行うためのプリミティブ（すなわち、ヘルシーチェックを要求するメッセージ）を発行し、同プリミティブに対して所定の時間内に同サブＣＰＵ２２から応答がない場合、同サブＣＰＵ２２又はＤＰＲＡＭハンドラ２ｅが正常に動作していないと判断し、同サブＣＰＵ２２をリセットする処理を行う。また、ＥＩＦタスク２ａは、サブＣＰＵ２２の電源がオン状態のとき、サブＣＰＵ制御部２ｂよりサブＣＰＵ２２の電源がオン状態の旨の報告を受け、タイマハンドラ２ｃを起動してヘルシーチェック用の計時を開始する。また、ＥＩＦタスク２ａは、サブＣＰＵ２２の電源がオフ状態に移行した場合、サブＣＰＵ制御部２ｂよりサブＣＰＵ２２の電源がオフ状態の旨の報告を受け、タイマハンドラ２ｃを停止してヘルシーチェック用の計時を終了する。
【００２３】
サブＣＰＵ制御部２ｂは、サブＣＰＵ２２へ電源及びクロックを供給すると共に、サブＣＰＵ２２が電源オン状態のとき、ＥＩＦタスク２ａへ同サブＣＰＵ２２が電源オン状態である旨のメッセージを送信する。また、サブＣＰＵ制御部２ｂは、サブＣＰＵ２２が電源オフ状態のとき、ＥＩＦタスク２ａへ同サブＣＰＵ２２が電源オフ状態である旨のメッセージを送信する。タイマハンドラ２ｃは、ＥＩＦタスク２ａの指令に基づいてヘルシーチェック用の計時を行う。伝送管理タスク２ｄは、サブＣＰＵ２２とメッセージをやりとりする。ＤＰＲＡＭハンドラ２ｅは、サブＣＰＵ２２とのメッセージの送受信を監視する。
【００２４】
サブＣＰＵ２２は、ＤＰＲＡＭハンドラ２ｆと、ＩＤＬＥタスク２ｇと、伝送管理タスク２ｈとから構成されている。ＤＰＲＡＭハンドラ２ｆは、メインＣＰＵ２１とのメッセージの送受信を監視する。ＩＤＬＥタスク２ｇは、図１中のＶＭＣＣ５０に対する制御信号の送受信を監視し、ヘルシーチェック要求のプリミティブを受信したとき、この監視の結果をヘルシーチェック応答のプリミティブとしてＥＩＦタスク２ａへ返信する。なお、ＩＤＬＥタスク２ｇは、タスクプライオリティが最低となっている。これにより、サブＣＰＵ２２内で動作できないタスクがあっても、ＩＤＬＥタスク２ｇが正常に動作してヘルシーチェックに応答してしまうことが防止される。伝送管理タスク２ｈは、メインＣＰＵ２１とやりとりするタスクである。
【００２５】
図３は図２の携帯電話機２０におけるヘルシーチェックの処理を示すシーケンス図、図４が正常時のヘルシーチェックの処理を示すシーケンス図、図５はメインＣＰＵ２１からヘルシーチェックを再度行う処理を示すシーケンス図、図６がサブＣＰＵ２２から応答を再度行う処理を示すシーケンス図、図７はＤＰＲＡＭハンドラ２ｅによる送信が成功しない場合の処理を示すシーケンス図、図８がＤＰＲＡＭハンドラ２ｆによる送信が成功しない場合の処理を示すシーケンス図、図９はＩＤＬＥタスク２ｇがメッセージを受信できない場合の処理を示すシーケンス図、及び図１０がＩＤＬＥタスク２ｇから応答できない場合の処理を示すシーケンス図である。
これらの図を参照して、この形態の携帯端末システムに用いられる監視制御方法について説明する。
【００２６】
図３に示すように、メインＣＰＵ２１側では、サブＣＰＵ制御部２ｂからサブＣＰＵ２２へ電源及びクロックを供給する（ステップＡ１）。サブＣＰＵ２２の電源がオン状態のとき、サブＣＰＵ制御部２ｂよりＥＩＦタスク２ａへ、同サブＣＰＵ２２の電源がオン状態である旨が報告され、タイマハンドラ２ｃが起動されてヘルシーチェック用の計時が開始される（ステップＡ２）。ＥＩＦタスク２ａと伝送管理タスク２ｈとの間、及び伝送管理タスク２ｄと伝送管理タスク２ｈとの間でメッセージが送受信され、この送受信がＤＰＲＡＭハンドラ２ｅ，２ｆで監視される。
【００２７】
ＥＩＦタスク２ａからＤＰＲＡＭハンドラ２ｅにヘルシーチェックの起動の必要性を判定する処理がコールされる（ステップＡ３）。この場合、最後のメッセージの送受信が完了した後、一定時間が経過していないため、戻り値は“ヘルシーチェック不要”となる。また、戻り値が“ヘルシーチェックが必要”であれば（ステップＡ４）、同ＥＩＦタスク２ａでヘルシーチェック応答完了フラグを“応答なし”とし、ヘルシーチェックのタイムアウト処理用としてタイマハンドラ２ｃでワンショットタイマをかけ、ヘルシーチェック要求処理のメッセージ送信処理を行う（ステップＡ５）。この場合、ヘルシーチェック要求メッセージがＩＤＬＥタスク２ｇへ送信される。
【００２８】
ＩＤＬＥタスク２ｇでは、ヘルシーチェック要求メッセージが受信され、ＥＩＦタスク２ａに対してヘルシーチェック応答メッセージの送信処理が行われる（ステップＡ６）。ＥＩＦタスク２ａでは、受信したメッセージがヘルシーチェックに対する応答メッセージであれば、ヘルシーチェック応答完了フラグを“応答あり”とする。また、ＶＭＣＣ５０に対する制御信号の送受信が基準時間を超えて停止状態にあるとき、ヘルシーチェック応答完了フラグが“応答なし”のままとなり、ヘルシーチェックタイムアウト処理が行われる（ステップＡ７）。すなわち、ＤＰＲＡＭ２３のヘルシーチェック用領域に、“ヘルシーチェックによるリセットが行われた”旨の値がセットされる。この場合、サブＣＰＵ２２側の起動時、ＤＰＲＡＭ２３上のヘルシーチェック用領域が参照され、ヘルシーチェックによりリセットされたことが認識され、初期化処理が行われる。また、伝送管理タスク２ｄへサブＣＰＵ２２をリセットする旨のメッセージが送信される。また、サブＣＰＵ制御部２ｂによるサブＣＰＵ２２に対するクロック及び電源の供給が停止される（ステップＡ８）。また、ＤＰＲＡＭハンドラ２ｅの初期化処理がコールされる。そして、サブＣＰＵ制御部２ｂよりＥＩＦタスク２ａへサブＣＰＵ２２の電源がオフ状態である旨が報告され、タイマハンドラ２ｃが停止されてヘルシーチェック用の計時が終了される（ステップＡ９）。
【００２９】
図３中のステップＡ５におけるヘルシーチェック要求処理及びステップＡ６におけるヘルシーチェック応答処理では、図４に示すように、ＥＩＦタスク２ａからＤＰＲＡＭハンドラ２ｅ及びＤＰＲＡＭハンドラ２ｆを介してＩＤＬＥタスク２ｇに対してヘルシーチェック要求プリミティブ（ＤＣＰＵ＿ＨＥＡＬＴＨＹ＿ＣＨＥＣＫ．ＲＥＱ）が送出される。そして、ＩＤＬＥタスク２ｇからＤＰＲＡＭハンドラ２ｆ及びＤＰＲＡＭハンドラ２ｅを介してＥＩＦタスク２ａに対してヘルシーチェック応答プリミティブ（ＤＣＰＵ＿ＨＥＡＬＴＨＹ＿ＣＨＥＣＫ．ＲＳＰ）が返送される。このヘルシーチェック要求プリミティブの送出からヘルシーチェック応答プリミティブの返送までの時間は、正常処理では、タイムアウト間隔の範囲内で行われる。
【００３０】
また、図５に示すように、ＥＩＦタスク２ａからＤＰＲＡＭハンドラ２ｅにヘルシーチェック要求プリミティブ（ＤＣＰＵ＿ＨＥＡＬＴＨＹ＿ＣＨＥＣＫ．ＲＥＱ）が一度送出されて失敗した場合、再度ＥＩＦタスク２ａから送出され、この後、図４と同様の処理が行われる。このヘルシーチェック要求プリミティブの一回目の送出からヘルシーチェック応答プリミティブの返送までの時間は、正常処理では、タイムアウト間隔の範囲内で行われる。
【００３１】
また、図６に示すように、ＥＩＦタスク２ａからＤＰＲＡＭハンドラ２ｅ及びＤＰＲＡＭハンドラ２ｆを介してＩＤＬＥタスク２ｇに対してヘルシーチェック要求プリミティブ（ＤＣＰＵ＿ＨＥＡＬＴＨＹ＿ＣＨＥＣＫ．ＲＥＱ）が送出される。そして、ＩＤＬＥタスク２ｇからＤＰＲＡＭハンドラ２ｆにヘルシーチェック応答プリミティブ（ＤＣＰＵ＿ＨＥＡＬＴＨＹ＿ＣＨＥＣＫ．ＲＳＰ）が一度送出されて失敗した場合、再度ＩＤＬＥタスク２ｇから送出され、この後、図４と同様の処理が行われる。このヘルシーチェック要求プリミティブの送出からヘルシーチェック応答プリミティブの返送までの時間は、正常処理では、タイムアウト間隔の範囲内で行われる。
【００３２】
また、サブＣＰＵ２２のＩＤＬＥタスク２ｇとＶＭＣＣ５０との間の制御信号の送受信はＩＤＬＥタスク２ｇで監視されているが、この送受信が停止し、図７に示すように、ＥＩＦタスク２ａからＤＰＲＡＭハンドラ２ｅにヘルシーチェック要求プリミティブ（ＤＣＰＵ＿ＨＥＡＬＴＨＹ＿ＣＨＥＣＫ．ＲＥＱ）がたとえば５回送出されても成功せず、所要時間がタイムアウト間隔を超えた場合、同ＥＩＦタスク２ａから伝送管理タスク２ｄへサブＣＰＵ２２をリセットする旨が通知される。このとき、リセットする理由がＥＩＦタスク２ａからＤＰＲＡＭ２３にセットされ（ステップＢ１）、サブＣＰＵ２２の電源がオフ状態とされ（ステップＢ２）、ＤＰＲＡＭ２３が初期化される（ステップＢ３）。
【００３３】
また、サブＣＰＵ２２のＩＤＬＥタスク２ｇとＶＭＣＣ５０との間の制御信号の送受信が停止し、図８に示すように、ＥＩＦタスク２ａからＤＰＲＡＭハンドラ２ｅを介してＤＰＲＡＭハンドラ２ｆに対してヘルシーチェック要求プリミティブ（ＤＣＰＵ＿ＨＥＡＬＴＨＹ＿ＣＨＥＣＫ．ＲＥＱ）が送出され、同ＤＰＲＡＭハンドラ２ｆからＩＤＬＥタスク２ｇに対して同ヘルシーチェック要求プリミティブ（ＤＣＰＵ＿ＨＥＡＬＴＨＹ＿ＣＨＥＣＫ．ＲＥＱ）が送出されても成功せず、所要時間がタイムアウト間隔を超えた場合、同ＥＩＦタスク２ａから伝送管理タスク２ｄへサブＣＰＵ２２をリセットする旨が通知される。このとき、リセットする理由がＥＩＦタスク２ａからＤＰＲＡＭ２３にセットされ（ステップＣ１）、サブＣＰＵ２２の電源がオフ状態とされ（ステップＣ２）、ＤＰＲＡＭ２３が初期化される（ステップＣ３）。
【００３４】
また、サブＣＰＵ２２のＩＤＬＥタスク２ｇとＶＭＣＣ５０との間の制御信号の送受信が停止し、図９に示すように、ＥＩＦタスク２ａからＤＰＲＡＭハンドラ２ｅ及びＤＰＲＡＭハンドラ２ｆを介してＩＤＬＥタスク２ｇに対してヘルシーチェック要求プリミティブ（ＤＣＰＵ＿ＨＥＡＬＴＨＹ＿ＣＨＥＣＫ．ＲＥＱ）が送出されても、同ＩＤＬＥタスク２ｇにおける受信が成功せず、所要時間がタイムアウト間隔を超えた場合、同ＥＩＦタスク２ａから伝送管理タスク２ｄへサブＣＰＵ２２をリセットする旨が通知される。このとき、リセットする理由がＥＩＦタスク２ａからＤＰＲＡＭ２３にセットされ（ステップＤ１）、サブＣＰＵ２２の電源がオフ状態とされ（ステップＤ２）、ＤＰＲＡＭ２３が初期化される（ステップＤ３）。
【００３５】
また、図１０に示すように、ＥＩＦタスク２ａからＤＰＲＡＭハンドラ２ｅ及びＤＰＲＡＭハンドラ２ｆを介してＩＤＬＥタスク２ｇに対してヘルシーチェック要求プリミティブ（ＤＣＰＵ＿ＨＥＡＬＴＨＹ＿ＣＨＥＣＫ．ＲＥＱ）が送出される。そして、サブＣＰＵ２２のＩＤＬＥタスク２ｇとＶＭＣＣ５０との間の制御信号の送受信が停止し、ＩＤＬＥタスク２ｇからＤＰＲＡＭハンドラ２ｆにヘルシーチェック応答プリミティブ（ＤＣＰＵ＿ＨＥＡＬＴＨＹ＿ＣＨＥＣＫ．ＲＳＰ）がたとえば５回送出されても成功せず、所要時間がタイムアウト間隔を超えた場合、同ＥＩＦタスク２ａから伝送管理タスク２ｄへサブＣＰＵ２２をリセットする旨が通知される。このとき、リセットする理由がＥＩＦタスク２ａからＤＰＲＡＭ２３にセットされ（ステップＥ１）、サブＣＰＵ２２の電源がオフ状態とされ（ステップＥ２）、ＤＰＲＡＭ２３が初期化される（ステップＥ３）。
【００３６】
以上のように、この実施形態では、サブＣＰＵ２２のＩＤＬＥタスク２ｇとＶＭＣＣ５０との間の制御信号の送受信が停止し、ヘルシーチェックの所要時間がタイムアウト間隔を超えた場合、ＥＩＦタスク２ａの指令によりサブＣＰＵ２２の電源がオフ状態となるので、消費電力が低減されて電池の寿命が長くなる。
【００３７】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、実施形態では、携帯電話機２０が無線基地局３０に無線接続される例を示したが、同携帯電話機２０をたとえばパーソナルコンピュータなどの外部端末に接続して各種データの授受を行う場合でも、上記実施形態とほぼ同様の作用、効果が得られる。また、この発明は、携帯電話機２０の他、たとえばＰＤＡ（Ｐｅｒｓｏｎａｌ　Ｄｉｇｉｔａｌ　Ａｓｓｉｓｔａｎｔｓ　）など、自端末全体を制御するメインＣＰＵと、外部端末とデータのやりとりを行うサブＣＰＵとを備え、電池を電源として動作する携帯端末全般に適用できる。
【００３８】
【発明の効果】
以上説明したように、この発明の構成によれば、第１の交換局（ＶＭＣＣ、在圏移動通信交換局）と副制御部との間の制御信号の送受信が基準時間を超えて停止状態にあるとき、主制御部の指令により副制御部の電源がオフ状態となるので、消費電力が低減されて電池の寿命を長くできる。また、外部端末と副制御部との間における各種データの授受が所定時間以上停止している場合、主制御部の指令により同副制御部の電源がオフ状態となるので、消費電力が低減されて電池の寿命を長くできる。
【図面の簡単な説明】
【図１】この発明の実施形態である携帯端末システムの概略の構成図である。
【図２】図１中の携帯電話機２０の要部の構成図である。
【図３】図２の携帯電話機２０における監視制御の処理を示すシーケンス図である。
【図４】正常時の監視制御の処理を示すシーケンス図である。
【図５】メインＣＰＵ２１から監視制御を再度行う処理を示すシーケンス図である。
【図６】サブＣＰＵ２２から応答を再度行う処理を示すシーケンス図である。
【図７】ＤＰＲＡＭハンドラ２ｅによる送信が成功しない場合の処理を示すシーケンス図である。
【図８】ＤＰＲＡＭハンドラ２ｆによる送信が成功しない場合の処理を示すシーケンス図である。
【図９】ＩＤＬＥタスク２ｇがメッセージを受信できない場合の処理を示すシーケンス図である。
【図１０】ＩＤＬＥタスク２ｇから応答できない場合の処理を示すシーケンス図である。
【図１１】従来の携帯端末システムの概略の構成図である。
【図１２】図１１中の携帯電話機１１の要部の構成図である。
【符号の説明】
２０　　　携帯電話機（携帯端末）
３０，４０　　　無線基地局
５０，６０　　　ＶＭＣＣ（第１の交換局、在圏移動通信交換局）
７０　　　ＧＭＣＣ（第２の交換局、関門移動通信交換局）
２１　　　メインＣＰＵ（主制御部）
２ａ　　　ＥＩＦタスク（メインＣＰＵ、主制御部）
２ｂ　　　サブＣＰＵ制御部（メインＣＰＵ、主制御部）
２ｃ　　　タイマハンドラ（メインＣＰＵ、主制御部）
２ｄ　　　伝送管理タスク（メインＣＰＵ、主制御部）
２ｅ　　　ＤＰＲＡＭハンドラ（メインＣＰＵ、主制御部）
２２　　　サブＣＰＵ（副制御部）
２ｆ　　　ＤＰＲＡＭハンドラ（サブＣＰＵ、副制御部）
２ｇ　　　ＩＤＬＥタスク（サブＣＰＵ、副制御部）
２ｈ　　　伝送管理タスク（サブＣＰＵ、副制御部）
２３　　　ＤＰＲＡＭ（Ｄｕａｌ　Ｐｏｒｔ　ＲＡＭ　）
２４　　　ＲＯＭ
【図１】
2004072352.tif 000003
【図２】
2004072352.tif 000004
【図３】
2004072352.tif 000005
【図４】
2004072352.tif 000006
【図５】
2004072352.tif 000007
【図６】
2004072352.tif 000008
【図７】
2004072352.tif 000009
【図８】
2004072352.tif 000010
【図９】
2004072352.tif 000011
【図１０】
2004072352.tif 000012
【図１１】
2004072352.tif 000013
【図１２】
2004072352.tif 000014